(57)【要約】【課題】視聴者によるザッピングを検出し、視聴者が要求した番組情報を正確に判断して提供できる番組情報提供システムを提供する。【解決手段】コンテンツの映像データを提供する映像データ視聴端末機を、視聴されているチャンネルの視聴時間帯を取得するチャンネル視聴時間取得部１１３、取得された視聴時間帯と、この視聴時間帯に視聴されていたチャンネルとを対応付けた視聴チャンネル情報を送信する視聴チャンネル情報送信部１１２、視聴時間取得部１１３によって取得された視聴時間帯の視聴がザッピングの過程で発生したものか否かを判断するザッピング判別部１１１を備え、視聴チャンネル情報送信部１１２は、ザッピング判別部１１１によりザッピングの過程で視聴が発生したと判断された場合、この視聴に関する視聴チャンネル情報を送信しない。【選択図】  図１
2010171514.tif 000002
【特許請求の範囲】
【請求項１】
コンテンツの映像データを提供する映像データ視聴端末機と、
前記映像データ視聴端末機において視聴されているコンテンツの映像データに基づくチャプタを含む番組情報を作成する番組情報提供装置と、
を含む番組情報提供システムであって、
前記映像データ視聴端末機は、
視聴されているチャンネルの視聴時間帯を取得する視聴時間帯取得手段と、
前記視聴時間帯取得手段によって取得された視聴時間帯と、この視聴時間帯に視聴されていたチャンネルとを対応付けた視聴チャンネル情報を送信する視聴チャンネル情報送信手段を備え、
前記番組情報提供装置は、
前記視聴チャンネル情報を番組表と対照し、視聴されているコンテンツを特定するコンテンツ特定手段と、
前記コンテンツ特定手段によって特定されたコンテンツと視聴時間帯とに基づいて、前記番組情報を作成する番組情報作成手段と、
前記番組情報作成手段によって作成された番組情報を送信して外部に提供する番組情報提供手段と、
を備え、
前記映像データ視聴端末機または番組情報提供装置の少なくとも一方が、前記視聴時間帯取得手段によって取得された視聴時間帯の視聴がザッピングの過程で発生したものか否かを判断するザッピング判断手段を備え、
前記ザッピング判断手段によりザッピングの過程で視聴が発生したと判断された場合には前記視聴チャンネル情報送信手段による前記視聴チャンネル情報の送信が行われない、または前記コンテンツ特定手段によってコンテンツの特定が行われないことを特徴とする番組情報提供システム。
【請求項２】
前記ザッピング判断手段は、
前記視聴時間帯取得手段によって取得された視聴時間帯の時間を予め設定されている閾値と比較し、当該時間が前記閾値よりも短い場合に前記視聴時間帯における視聴がザッピングの過程で発生したと判断することを特徴とする請求項１に記載の番組情報提供システム。
【請求項３】
前記ザッピング判断手段は、
ザッピングの過程で発生したと判断された視聴の前に視聴された隣接コンテンツ及び後に視聴された隣接コンテンツの少なくともいずれか一方が、ザッピングと判断されず、かつ、視聴時間と前記閾値との差が所定の時間以内にあり、前記番組情報提供手段による提供先において前記隣接コンテンツに関する番組情報が選択されていない場合、前記隣接コンテンツの視聴がザッピングの過程で発生したと判断することを特徴とする請求項２に記載の番組情報提供システム。
【請求項４】
前記ザッピング判断手段は、
前記隣接コンテンツの視聴がザッピングの過程で発生したと判断された場合、前記隣接コンテンツの視聴時間を前記閾値に代えて新たな閾値とすることを特徴とする請求項３に記載の番組情報提供システム。
【請求項５】
前記番組情報提供装置は、
コンテンツの映像データを分割してチャプタを生成するチャプタ生成手段を備え、
前記チャプタ生成手段は、
生成されたチャプタが前記番組情報提供手段による提供先において連続して選択されている場合、複数の前記チャプタの時間長の平均値を算出し、算出された平均値を以降に生成されるチャプタの時間長の基準値にすることを特徴とする請求項１から４のいずれか１項に記載の番組情報提供システム。
【請求項６】
映像データ視聴端末機において視聴されているコンテンツの映像データに基づくチャプタを含む番組情報を提供する番組情報提供装置であって、
前記映像データ視聴端末機において視聴されているチャンネルと、当該チャンネルの視聴時間帯とを対応付けた視聴チャンネル情報を番組表と対照し、視聴されているコンテンツを特定するコンテンツ特定手段と、
前記コンテンツ特定手段によって特定されたコンテンツと、前記視聴時間帯とに基づいて、前記番組情報を作成する番組情報作成手段と、
前記番組情報作成手段によって作成された番組情報を送信して外部に提供する番組情報提供手段と、
前記視聴時間帯における視聴がザッピングの過程で発生したものか否かを判断するザッピング判断手段と、を備え、
前記ザッピング判断手段によりザッピングの過程で視聴が発生したと判断された場合、前記番組特定手段は、当該視聴に関するコンテンツを特定しないことを特徴とする番組情報提供装置。
【請求項７】
前記ザッピング判断手段は、
前記隣接コンテンツの視聴がザッピングの過程で発生したと判断された場合、前記隣接コンテンツの視聴時間を前記閾値に代えて新たな閾値とすることを特徴とする請求項６に記載の番組情報提供装置。
【請求項８】
コンテンツの映像データを提供する映像データ視聴端末機であって、
視聴されているチャンネルの視聴時間帯を取得する視聴時間帯取得手段と、
前記視聴時間帯取得手段によって取得された視聴時間帯と、この視聴時間帯に視聴されていたチャンネルとを対応付けた視聴チャンネル情報を送信する視聴チャンネル情報送信手段と、
前記視聴時間帯取得手段によって取得された視聴時間帯の視聴がザッピングの過程で発生したものか否かを判断するザッピング判断手段と、
を備え、
前記視聴チャンネル情報送信手段は、前記ザッピング判断手段によりザッピングの過程で視聴が発生したと判断された場合、当該視聴に関する前記視聴チャンネル情報を送信しないことを特徴とする映像データ視聴端末機。
【請求項９】
コンテンツの映像データを提供する映像データ視聴端末機と、前記映像データ視聴端末機において視聴されているコンテンツの映像データと、当該コンテンツの放映時間帯とを含む番組情報を作成する番組情報提供装置と、を含む番組情報提供システムに適用される移動端末機であって、
視聴中のコンテンツの映像データに関する番組情報を前記番組情報提供装置に対して要求する番組情報取得要求手段と、
前記番組情報取得要求手段による要求に応じて提供された番組情報を蓄積する個人用番組情報蓄積手段と、
を備えることを特徴とする移動端末機。
【請求項１０】
映像データ視聴端末機において視聴されているコンテンツの映像データに基づくチャプタを含む番組情報を提供する番組情報提供方法であって、
視聴されているチャンネルと、当該チャンネルの視聴時間帯とを対応付けた視聴チャンネル情報を番組表と対照し、視聴されているコンテンツを特定するコンテンツ特定ステップと、
前記視聴時間帯における前記コンテンツの視聴がザッピングの過程で発生したものか否かを判断するザッピング判断ステップと、
前記コンテンツ特定ステップにおいて特定されたコンテンツと前記視聴時間帯とに基づいて前記番組情報が作成し、前記ザッピング判断ステップにおいて前記コンテンツの視聴がザッピングの過程で発生したものであると判断された場合には、前記番組情報を作成しない情報作成ステップと、
前記番組情報作成ステップにおいて番組情報が作成された場合には、作成された番組情報を送信して外部に提供する番組情報提供ステップと、
を含むことを特徴とする番組情報提供方法。
【発明の詳細な説明】
【技術分野】
【０００１】
本発明は、テレビ番組等の映像コンテンツに関する情報を配信する、番組情報提供システム、番組情報提供装置、映像データ視聴端末機、移動端末機、番組情報提供方法に関する。
【背景技術】
【０００２】
近年、テレビ番組に関する情報を、ＥＰＧ（Electric Program Guide）や地上波デジタル放送を使って視聴者に提供するサービスがある。このようなサービスの従来技術としては、例えば、特許文献１が挙げられる。
特許文献１に記載された発明は、テレビ番組の映像に関する詳細な情報を視聴者に提供することを目的にしている。このため、テレビ番組の映像データを自動的に解析し、シーンごとの映像の内容と、このシーンが放映された時間帯や時刻とを合わせて番組情報を作成する。そして、作成された番組情報を、番組情報を要求した視聴者に送信している。
【０００３】
視聴者が現在視聴している番組の番組情報、あるいは視聴していない番組（裏番組）の番組情報を要求する場合、番組情報を提供するシステムでは、視聴者が現在視聴している番組を正確に特定しなければならない。
【先行技術文献】
【特許文献】
【０００４】
【特許文献１】特開２００３−６９９８０号公報
【発明の概要】
【発明が解決しようとする課題】
【０００５】
しかしながら、一般的に、視聴者は、テレビ番組を視聴する際に短時間のうちに次々とチャンネルを切換える操作を行うことがある。このような操作は、視聴者が視聴すべき番組を選択するためにする操作であって、ザッピングとも呼ばれている。
上記した従来技術では、視聴者によるチャンネルの選択を、番組の視聴を目的にしたものか、ザッピングの過程でなされたものかを判断することは考慮されていない。このため、ザッピングしながら、あるいはザッピングにきわめて近いタイミングで番組情報を要求すると、視聴者が視聴したと認識していない番組の番組情報が送信されてくるという不具合が起こり得る。
本発明は、このような点に鑑みてなされたものであり、視聴者によるザッピングを検出し、視聴者が要求した番組情報を正確に判断して提供できる番組情報提供システム、番組情報提供装置、映像データ視聴端末機、移動端末機、番組情報提供方法を提供することを目的とする。
【課題を解決するための手段】
【０００６】
以上の課題を解決するため、本発明の番組情報提供システムは、コンテンツの映像データを提供する映像データ視聴端末機（例えば図１に示したユーザ固定端末１０１）と、前記映像データ視聴端末機において視聴されているコンテンツの映像データに基づくチャプタを含む番組情報を作成する番組情報提供装置（例えば図１に示した番組情報提供装置１０２）と、を含む番組情報提供システムであって、前記映像データ視聴端末機は、視聴されているチャンネルの視聴時間帯を取得する視聴時間帯取得手段（例えば図１に示したチャンネル視聴時間取得部１１３）と、視聴時間帯取得手段によって取得された視聴時間帯と、この視聴時間帯に視聴されていたチャンネルとを対応付けた視聴チャンネル情報を送信する視聴チャンネル情報送信手段（例えば図１に示した視聴チャンネル情報送信部１１２）と、を備え、前記番組情報提供装置は、前記視聴チャンネル情報を番組表と対照し、視聴されているコンテンツを特定するコンテンツ特定手段（例えば図１に示したコンテンツ特定部１００）と、前記コンテンツ特定手段によって特定されたコンテンツと視聴時間帯とに基づいて、前記番組情報を作成する番組情報作成手段（例えば図１に示した番組情報抽出部１１７）と、前記番組情報作成手段によって作成された番組情報を送信して外部に提供する番組情報提供手段（例えば図１に示した番組情報送信部１１９）と、備え、前記映像データ視聴端末機または番組情報提供装置の少なくとも一方が、前記視聴時間帯取得手段によって取得された視聴時間帯の視聴がザッピングの過程で発生したものか否かを判断するザッピング判断手段（例えば図１に示したザッピング判別部１１１）を備え、前記ザッピング判断手段によりザッピングの過程で視聴が発生したと判断された場合には前記視聴チャンネル情報送信手段による前記視聴チャンネル情報の送信が行われない、または前記コンテンツ特定手段によってコンテンツの特定が行われないことを特徴とする。
【０００７】
このような発明によれば、視聴されたコンテンツのうち、視聴の目的で視聴されたコンテンツとザッピングの過程で視聴されたコンテンツとを判別することができる。このため、ザッピングの過程で発生した視聴に関する情報に基づく番組情報の作成を阻止し、視聴者に対して視聴を目的としないコンテンツの番組情報が送られることを防ぐことができる。このような本発明の番組情報提供システムは、視聴者によるザッピングを検出し、視聴者が要求した番組情報を正確に判断することができる。
【０００８】
また、請求項２に記載の番組情報提供システムは、請求項１において、前記ザッピング判断手段が、前記視聴時間帯取得手段によって取得された視聴時間帯の時間を予め設定されている閾値と比較し、当該時間が前記閾値よりも短い場合に前記視聴時間帯における視聴がザッピングの過程で発生したと判断することを特徴とする。このような発明によれば、ザッピングを比較的簡易に検出することができる。このため、ザッピングにかかる構成の小型化及び簡易化に有利な番組情報提供システムを提供できる。
【０００９】
請求項３に記載の番組情報提供システムは、請求項２において、前記ザッピング判断手段が、ザッピングの過程で発生したと判断された視聴の前に視聴された隣接コンテンツ及び後に視聴された隣接コンテンツの少なくともいずれか一方が、ザッピングと判断されず、かつ、視聴時間と前記閾値との差が所定の時間以内にあり、前記番組情報提供手段による提供先において前記隣接コンテンツに関する番組情報が選択されていない場合、前記隣接コンテンツの視聴がザッピングの過程で発生したと判断することを特徴とする。このような発明によれば、ザッピングの過程で視聴されたコンテンツが視聴の目的を持って視聴されたと誤判断された場合にも、誤判断されたコンテンツを再度適正に判断しなおして、ザッピングをより正確に判断することができる。
【００１０】
請求項４に記載の番組情報提供システムは、請求項３において、前記ザッピング判断手段が、前記隣接コンテンツの視聴がザッピングの過程で発生したと判断された場合、前記隣接コンテンツの視聴時間を前記閾値に代えて新たな閾値とすることを特徴とする。このような発明によれば、以降のザッピングの判断においてより適正な閾値を設定することができる。このため、ザッピングをより正確に判断することができる。
【００１１】
請求項５記載の番組情報提供システムは、請求項１から４のいずれか１項において、前記番組情報提供装置が、コンテンツの映像データを分割してチャプタを生成するチャプタ生成手段（例えば図１に示したチャプタ生成部１２５）を備え、前記チャプタ生成手段は、生成されたチャプタが前記番組情報提供手段による提供先において連続して選択されている場合、複数の前記チャプタの時間長の平均値を算出し、算出された平均値を以降に生成されるチャプタの時間長の基準値にすることを特徴とする。このような発明によれば、チャプタの時間長を適正に設定し、視聴者にとって登録したい連続する一連のシーンを、均等の時間長のチャプタによって構成することができる。
【００１２】
請求項６の番組情報提供装置は、映像データ視聴端末機において視聴されているコンテンツの映像データに基づくチャプタを含む番組情報を作成する番組情報提供装置であって、前記映像データ視聴端末機において視聴されているチャンネルと、当該チャンネルの視聴時間帯とを対応付けた視聴チャンネル情報を番組表と対照し、視聴されているコンテンツを特定するコンテンツ特定手段と、前記コンテンツ特定手段によって特定されたコンテンツと、前記視聴時間帯とに基づいて、前記番組情報を作成する番組情報作成手段と、前記番組情報作成手段によって作成された番組情報を送信して外部に提供する番組情報提供手段と、前記視聴時間帯における視聴がザッピングの過程で発生したものか否かを判断するザッピング判断手段と、を備え、前記ザッピング判断手段によりザッピングの過程で視聴が発生したと判断された場合、前記コンテンツ特定手段は、当該視聴に関する前記視聴チャンネル情報を特定しないことを特徴とする。このような発明によれば、視聴者によるザッピングを検出し、視聴者が要求した番組情報を正確に判断することに貢献する番組情報提供装置を提供できる。
【００１３】
請求項７に記載の映像データ視聴端末機は、請求項６において、前記ザッピング判断手段が、前記隣接コンテンツの視聴がザッピングの過程で発生したと判断された場合、前記隣接コンテンツの視聴時間を前記閾値に代えて新たな閾値とすることを特徴とする。このような発明によれば、以降のザッピングの判断においてより適正な閾値を設定することができる。このため、ザッピングをより正確に判断することができる。
【００１４】
請求項８に記載の映像データ視聴端末機は、コンテンツの映像データを提供する映像データ視聴端末機であって、視聴されているチャンネルの視聴時間帯を取得する視聴時間帯取得手段と、前記視聴時間帯取得手段によって取得された視聴時間帯と、この視聴時間帯に視聴されていたチャンネルとを対応付けた視聴チャンネル情報を送信する視聴チャンネル情報送信手段と、前記視聴時間帯取得手段によって取得された視聴時間帯の視聴がザッピングの過程で発生したものか否かを判断するザッピング判断手段と、を備え、前記視聴チャンネル情報送信手段は、前記ザッピング判断手段によりザッピングの過程で視聴が発生したと判断された場合、当該視聴に関する前記視聴チャンネル情報を送信しないことを特徴とする。このような発明によれば、視聴者によるザッピングを検出し、視聴者が要求した番組情報を正確に判断することに貢献する映像データ視聴端末機を提供できる。
【００１５】
請求項９に記載の移動端末機は、コンテンツの映像データを提供する映像データ視聴端末機と、前記映像データ視聴端末機において視聴されているコンテンツの映像データと、当該コンテンツの放映時間帯とを含む番組情報を作成する番組情報提供装置と、を含む番組情報提供システムに適用される移動端末機であって、視聴中のコンテンツの映像データに関する番組情報を前記番組情報提供装置に対して要求する番組情報取得要求手段と、前記番組情報取得要求手段による要求に応じて提供された番組情報を蓄積する個人用番組情報蓄積手段と、を備えることを特徴とする。このような発明によれば、提供された番組情報を蓄積できる移動端末機を提供することができる。
【００１６】
請求項１０に記載の番組情報提供方法は、映像データ視聴端末機において視聴されているコンテンツの映像データに基づくチャプタを含む番組情報を提供する番組情報提供方法であって、視聴されているチャンネルと、当該チャンネルの視聴時間帯とを対応付けた視聴チャンネル情報を番組表と対照し、視聴されているコンテンツを特定するコンテンツ特定ステップと、前記視聴時間帯における前記コンテンツの視聴がザッピングの過程で発生したものか否かを判断するザッピング判断ステップと、前記ザッピング判断ステップにおいて前記コンテンツの視聴がザッピングの過程で発生したものでないと判断された場合には前記コンテンツ特定ステップにおいて特定されたコンテンツと前記視聴時間帯とに基づいて前記番組情報を作成し、前記ザッピング判断ステップにおいて前記コンテンツの視聴がザッピングの過程で発生したものであると判断された場合には、前記番組情報を作成しない情報作成ステップと、前記番組情報作成ステップにおいて番組情報が作成された場合、作成された番組情報を送信して外部に提供する番組情報提供ステップと、を含むことを特徴とする。このような発明によれば、視聴者によるザッピングを検出し、視聴者が要求した番組情報を正確に判断することに貢献する番組情報提供方法を提供できる。
【発明の効果】
【００１７】
以上説明した本発明の番組情報提供システム、番組情報提供装置、映像データ視聴端末機、移動端末機、番組情報提供方法は、視聴者によるザッピングを検出し、視聴者が要求した番組情報を正確に判断することができる。このため、視聴者が番組情報を要求した場合、要求したコンテンツの番組情報が提供されると共に、意図しないコンテンツに関する番組情報の提供を防ぐことができる。このため、要求されていない番組情報の表示や削除に関する視聴者の煩雑さをなくし、番組情報提供システムの使い勝手を高めることができる。
【図面の簡単な説明】
【００１８】
【図１】本発明の実施形態１の番組情報提供システムの構成図である。
【図２】実施形態１のザッピング判別部がザッピングを判別する動作について説明するためのフローチャートである。
【図３】図１に示したチャプタ生成部１２５の処理を説明するためのフローチャートである。
【図４】図１に示した本発明の実施形態１の番組情報提供システムの変形例を示した図である。
【図５】図１に示した本発明の実施形態１の番組情報提供システムの他の変形例を示した図である。
【図６】本発明の実施形態２のザッピングの処理を説明するためのフローチャートである。
【図７】本発明の実施形態３のチャプタ生成の処理を説明するためのフローチャートである。
【発明を実施するための形態】
【００１９】
（実施形態１）
１．番組情報提供システム
図１は、実施形態１の番組情報提供システムの構成図である。図示した番組情報提供システムは、ユーザにコンテンツとしてテレビ番組の映像データを提供する番組情報提供システムである。テレビ番組のシステムでは、所定の視聴時間帯においてチャンネルと番組（コンテンツ）とが対応付けられている。このため、実施形態１では、視聴時間帯及び視聴されているチャンネルを、チャンネル、放映予定時間帯、番組を対応付けた、所謂番組表と対照して特定するものとする。
【００２０】
実施形態１の番組情報提供システムは、ユーザ固定端末１０１と、テレビ番組に関する情報（番組情報）の送信を要求し、要求に応じて送信された番組情報を受信する移動情報端末装置（実施形態１ではユーザ移動端末１０３と記す）と、要求に応じて番組情報を作成し、送信する番組情報提供装置１０２と、によって構成されている。
ユーザ固定端末１０１は、例えばテレビやパソコンであって、ユーザ移動端末１０３には例えば携帯電話機が使用される。また、近年ではワンセグ方式のように、移動端末でテレビを視聴することもできるので、ユーザ固定端末に代えて移動端末を使用することもできる。さらに、１台のワンセグ方式の移動端末を、ユーザ固定端末１０１、ユーザ移動端末１０３として機能させるものであってもよい。
【００２１】
ユーザ固定端末１０１は、ユーザによって選択された視聴チャンネルを取得する視聴チャンネル取得部１１４と、視聴チャンネルが選択されている時間帯に関する情報を取得するチャンネル視聴時間取得部１１３を備えている。なお、チャンネルが選択されている「時間帯」とは、チャンネルが切り換えられた時刻と、再び他のチャンネルに切換えられた時刻とを含む情報である。
【００２２】
実施形態１では、チャンネルが選択されている時間帯を「視聴時間帯」、チャンネルが他のチャンネルに切換えられた時刻から、当該チャンネルに切り換えられた時刻を差し引いた時間を、実施形態１では「視聴時間」とも記す。
ユーザ固定端末１０１は、視聴チャンネルと視聴時間とからチャンネルの選択、つまり視聴時間帯における視聴がザッピングであるか否かを判断し、判断の結果に基づいて視聴チャンネル情報を作成するザッピング判別部１１１をさらに備えている。視聴チャンネル情報とは、視聴チャンネルと、視聴チャンネルに対応する視聴時間帯を含む情報である。視聴チャンネル情報は、視聴チャンネル情報送信部１１２によって番組情報提供装置１０２に送信される。
【００２３】
ユーザ移動端末１０３は、番組情報の送信を番組情報提供装置１０２に要求する番組情報取得要求送信部１３１、要求に応じて送信された番組情報を受信する番組情報受信部１３２、受信された番組情報を蓄積するための個人用番組情報蓄積部１３３を備えている。
番組情報提供装置１０２は、テレビによる放送番組のデータ（以下、映像データと記す）を受信する放送番組受信部１３０、受信された映像データを蓄積する放送番組蓄積部１２１、蓄積された映像データに対応した番組メタデータがあるか否か判定する放送番組種別判定部１２０を備えている。なお、番組メタデータとは、番組の映像データに関連する情報のことであり、データの作成日時や作成者、データ形式、タイトル、注釈等を含むデータである。
【００２４】
放送番組種別判定部１２０による放送番組種別の判定は、例えば、次のようにして実現することができる。すなわち、放送番組の各々に、放送番組を特定するための番組ＩＤを付し、番組メタデータには番組メタデータＩＤを付しておく。そして、番組ＩＤと、この番組ＩＤに対応する番組メタデータＩＤとを、この放送番組に関する番組メタデータとして図示しないＤＢテーブル等で管理する。
【００２５】
放送番組種別判定部１２０は、放送番組のＩＤに対応する番組メタデータＩＤを持つ番組メタデータを番組メタデータ蓄積部１２８から検索する。検索の結果、番組メタデータがあった場合には番組メタデータが存在し、なかった場合には放送番組に番組メタデータが存在しないものと判断する。
番組情報提供装置１０２は、番組メタデータを取得する番組メタデータ取得部１２９、取得された番組メタデータが蓄積される番組メタデータ蓄積部１２８、蓄積された番組メタデータから番組シーンごとの放映時間帯が記述されたセグメント情報を取得するセグメント情報取得部１２４を備えている。
【００２６】
また、番組情報提供装置１０２は、映像データからシーンの切れ目を検出し、シーンの切れ目からタイムスタンプを抽出する映像シーン解析部１２３を備えている。番組メタデータが存在しない場合、実施形態１では、映像シーン解析部１２３によってタイムスタンプを抽出する。なお、映像シーン解析の方法としては、例えば、音声の盛り上がりやカメラアングルの切り替わりをシーンの切れ目として検出する等の方法が考えられる。なお、このような解析の手法は公知であるからこれ以上の説明を省く。
【００２７】
また、番組情報提供装置１０２は、セグメント情報取得部１２４によって取得されたセグメント情報、または映像シーン解析部１２３によって抽出されたタイムスタンプを受け取ってチャプタを生成するチャプタ生成部１２５を備えている。チャプタとは、映像データをシーンごとに区切って生成される複数の放映時間がより短い映像データである。
セグメント情報取得部１２４は、番組メタデータ蓄積部１２８によって蓄積されている番組メタデータから放映時間帯が記述されたセグメント情報を取得し、チャプタ生成部１２５へ受け渡す。チャプタ生成部１２５は、セグメント情報を受け取り、このセグメント情報に基づいて適正な放映時間帯ごとに映像データを分割し、チャプタを生成する。
【００２８】
一方、映像シーン解析部１２３は、抽出されたタイムスタンプをチャプタ生成部１２５に受け渡す。チャプタ生成部１２５は、タイムスタンプを区切りにして映像データを分割し、チャプタを生成する。なお、実施形態１では、このとき、生成されたチャプタに対応する番組メタデータ取得の可否を判断し、可能であれば番組メタデータを取得してチャプタに付加するようにしてもよい。
【００２９】
このような実施形態１では、映像データに番組メタデータがある場合であっても、ない場合であってもチャプタを生成することが可能になる。
また、番組情報提供装置１０２は、番組情報生成部１２６を備えている。番組情報生成部１２６は、番組メタデータ蓄積部１２８からチャプタに対応する番組メタデータを取得し、対応するチャプタに付加する。実施形態１では、チャプタと放映時間帯とを対応付けた情報を番組情報とし、取得が可能であれば番組情報に番組メタデータを付加する。番組情報は、番組情報蓄積部１２７に蓄積される。
【００３０】
さらに、番組情報提供装置１０２は、ユーザ固定端末１０１から視聴チャンネル情報を受信する視聴チャンネル情報受信部１１５、視聴チャンネル情報からチャンネルが選択されている時間帯に関する時刻情報を取得する時刻情報取得部１１６、視聴チャンネル情報と時刻情報とに基づいて視聴されていたコンテンツ、すなわち番組を特定するコンテンツ特定部１００を備えている。
【００３１】
実施形態１では、コンテンツ特定部１００が前記した番組表を有し、番組表を視聴チャンネル情報と対照して番組を特定する。
また、番組情報提供装置１０２は、コンテンツ特定部１００によって特定された番組の番組情報のうち、要求された番組情報を番組情報蓄積部１２７から抽出する番組情報抽出部１１７、ユーザ移動端末１０３からの番組情報の要求を受信する番組情報取得要求受信部１１８、要求に応じて番組情報をユーザ移動端末１０３に送信する番組情報送信部１１９を備えている。
【００３２】
２．動作
以上述べた実施形態１の番組情報提供システムでは、先ず、ユーザがユーザ固定端末１０１においてテレビ番組を視聴中に、視聴チャンネル取得部１１４が現在選択されているチャンネルの情報を取得する。また、チャンネル視聴時間取得部１１３は、このチャンネルの視聴時間帯を取得する。
ザッピング判別部１１１は、視聴チャンネルと視聴時間とにより、この視聴時間帯における視聴が番組の視聴を目的とするものか、ザッピングの過程で発生したものか判断する。そして、ザッピングの過程で発生したものであると判断されると、この視聴に関する視聴時間帯及び視聴チャンネルの情報が視聴チャンネル情報送信部１１２において排除される。なお、ザッピングに関する視聴の排除の処理については後述するものとする。
【００３３】
一方、ユーザは、ユーザ移動端末１０３の番組情報取得要求送信部１３１から、視聴中のテレビ番組に関する番組情報の取得要求を番組情報提供装置１０２へ送信する。番組情報取得要求は、番組情報提供装置１０２の番組情報取得要求受信部１１８によって受信される。コンテンツ特定部１００は、視聴チャンネル情報及び時刻情報から視聴されていた番組を特定する。番組情報抽出部１１７は、番組情報取得要求とユーザ固定端末１０１から通知された視聴チャンネル情報とを付き合わせ、要求された番組の番組情報を、番組情報蓄積部１２７から抽出する。
【００３４】
番組情報は、番組情報送信部１１９に渡され、ユーザ移動端末１０３に送信される。送信された番組情報は、ユーザ移動端末１０３において、図示しない表示部に表示される。
ユーザは、表示された番組情報のチャプタを確認し、取得したい番組情報をチャプタごとに選択する。選択された番組情報は、個人用番組情報蓄積部１３３へ蓄積される。個人用番組情報蓄積部１３３に蓄積された番組情報は、番組視聴後も確認することが可能である。なお、実施形態１では、以降、番組情報を選択して個人用番組情報蓄積部１３３に蓄積することを、番組情報の「登録」とも記すものとする。
また、本実施形態では、図１中に破線で示したように、ユーザ移動端末１０３から番組情報提供装置１０２を介し、ユーザ固定端末のザッピング判別部１１１に履歴情報Ｒが送信されるものとする。履歴情報Ｒとは、ユーザ移動端末１０３における番組情報の登録の履歴を示す情報である。
【００３５】
３．ザッピングの判断
次に、実施形態１のザッピングの判断について説明する。
図２は、実施形態１の番組情報提供システム全体の処理について説明するためのフローチャートである。
図２に示したフローチャートは、番組情報提供装置から番組情報の取得要求がされると開始する（ステップＳ２０１）。視聴チャンネル取得部は、ユーザ固定端末において現在選択されているチャンネルを特定する視聴チャンネル情報を取得する（ステップＳ２０２）。また、並行して、選択されたチャンネルに対応する番組の視聴時間帯から、視聴時間（図中には視聴時間長と記す）Ｘを取得する（ステップＳ２０３）。
ザッピング判別部は、視聴時間Ｘを、予め設定されている閾値Ｙと比較し、視聴時間Ｘが閾値Ｙよりも短いか否か判断する（ステップＳ２０４）。なお、閾値Ｙは、例えば１０秒程度の短時間に設定することが望ましい。
【００３６】
視聴時間Ｘが閾値Ｙより短い場合（ステップＳ２０４：Ｙｅｓ）、ザッピング判別部は、番組の視聴がザッピングの過程でなされたものであると判断する（ステップＳ２０５）。ザッピング判別部によって視聴がザッピングの過程でなされたものであると判断された場合、この視聴に関するチャンネル情報及び視聴時間帯に関する情報が削除されるから（ステップＳ２０６）、視聴チャンネル情報送信部は、視聴チャンネル情報の送信を行わない。このような処理を、実施形態１では、視聴に関する情報を視聴チャンネル情報の作成にあたって「排除する」、あるいは「無視する」ともいう。
【００３７】
この結果、視聴時間が閾値Ｙよりも短い番組のチャンネル視聴情報は番組情報提供装置に送信されることがなく、番組情報抽出部は、ザッピングの過程で発生した視聴の番組情報を抽出することがない（ステップＳ２０７）。
一方、チャンネルの視聴時間Ｘが閾値Ｙより長い場合（ステップＳ２０４：Ｎｏ）、ザッピング判別部は、視聴者が番組を視聴していると判断する（ステップＳ２０８）。そして、視聴に関するチャンネルと視聴時間帯とに基づいて視聴チャンネル情報を送信する。生成された視聴チャンネル情報は、番組提供装置に送信され、番組情報抽出部が視聴チャンネル情報に基づいて番組情報を抽出する（ステップＳ２１０）。なお、以上説明した工程のうち、ステップＳ２０２〜ステップＳ２１０でなる一連の処理を、ｆｌｏｗ１とも記す。
【００３８】
以上の処理により、実施形態１の番組提供システムは、視聴者が意図して視聴した番組の番組情報だけをユーザ移動端末１０３に送信し、表示することができる（ステップＳ２１１）。このため、視聴者にとっては、ザッピングの目的で視聴した番組の番組情報が送られてくることの煩わしさがない高品質のサービスを受けることが可能になる。
【００３９】
４．チャプタの生成
図３は、図１に示したチャプタ生成部１２５の処理を説明するためのフローチャートである。放送番組判定部は、放送番組の番組メタデータの有無を判断する（ステップＳ４０１）。判断の結果（ステップＳ４０２）、番組メタデータがない場合（ステップＳ４０２：Ｎｏ）、映像シーン解析部が放映データを解析してシーンの切れ目等を判定し、タイムスタンプを抽出する（ステップＳ４０３）。
【００４０】
チャプタ生成部は、抽出されたタイムスタンプを使ってチャプタを生成する（ステップＳ４０４）。さらに、生成されたチャプタに必要に応じて関連情報を付与し（ステップＳ４０５）、チャプタの番組メタデータが外部から取得できるか否か判断する（ステップＳ４０６）。番組メタデータが取得できれば（ステップＳ４０６：Ｙｅｓ）、取得された番組メタデータをチャプタに付与して番組情報を生成する（ステップＳ４０７）。
番組メタデータが取得できなかった場合（ステップＳ４０６：Ｎｏ）、そのまま処理を終了する。
【００４１】
一方、ステップＳ４０２において、放送番組のメタデータが番組メタデータ蓄積部１２８に蓄積されていると判断された場合（ステップＳ４０２：Ｙｅｓ）、チャプタ生成部は、番組メタデータのセグメント情報に基づいて映像データを構成する複数のシーンの放映時間帯を取得する（ステップＳ４０８）。チャプタ生成部は、映像データを放映時間帯に基づいて分割することにより、チャプタを生成する（ステップＳ４０９）。チャプタには、各々に番組メタデータが付与される（ステップＳ４０７）。この結果、チャプタとチャプタの放映時間帯と番組メタデータとを含む番組情報が生成される。
【００４２】
なお、以上説明した工程のうち、ステップＳ４０１、ステップＳ４０２、ステップＳ４０８、ステップＳ４０９の工程でなる一連の処理をｆｌｏｗ２、ステップＳ４０１、ステップＳ４０２、ステップＳ４０３、ステップＳ４０４、ステップＳ４０８、ステップＳ４０９の工程でなる一連の処理をｆｌｏｗ３とも記す。
以上述べた実施形態１の番組情報提供システムにおいて、ユーザ固定端末１０１が映像データ視聴端末機、番組情報提供装置１０２が番組情報提供装置、ユーザ移動端末１０３が移動端末機に相当する。
【００４３】
また、視聴チャンネル取得部１１４がコンテンツ特定手段、チャンネル視聴時間取得部１１３が視聴時間帯取得手段、ザッピング判別部１１１が、視聴チャンネル情報送信手段及びザッピング判断手段として機能する。放送番組種別判定部１２０、映像シーン解析部１２３、セグメント情報取得部１２４、チャプタ生成部１２５、番組情報生成部１２６は、番組情報作成手段として機能する。
【００４４】
５．変形例
さらに、実施形態１の番組情報提供システムは、図１に示した構成に限定されるものではなく、図４あるいは図５のように構成することも可能である。図４に示した構成では、図１に示したユーザ移動端末１０３の個人用番組情報蓄積部１３３を番組情報提供装置１０２へ配置している。そして、ユーザ移動端末３０３に個人用番組情報表示部３１０を番組情報送信部１１９に代えて設けている。
このようにすれば、視聴者によって登録された番組情報を番組情報提供装置３０２に蓄積しておき、ユーザ移動端末１０３の要求に応じて送信し、表示させることができる。図４に示した構成は、図１に示した構成よりもユーザ移動端末３０３のメモリを小型化し、ひいては機器を小型化することに有利である。
【００４５】
また、実施形態１は、例えば、図５に示すように、ユーザ移動端末６０１ではなく、番組情報提供装置６０２の側にザッピング判別部１１１を設けてもよい。このような場合、ザッピング判別部１１１は、視聴チャンネル情報に含まれる視聴チャンネルとチャンネルの視聴時間とに基づいてザッピングを判断する。コンテンツ特定部１００は、ザッピング判別部１１１によってザッピングであると判断された視聴に関する視聴チャンネル情報を無視してコンテンツを特定しないようにする。
【００４６】
（実施形態２）
次に、本発明の実施形態２の番組情報提供システムについて説明する。なお、実施形態２の番組情報提供システムは、実施形態１と同様の構成を有していて、ザッピングの判断の具体的な方法についてのみ実施形態１と相違する。このため、実施形態２では、番組情報提供システムの図示及びその説明の一部略すものとする。
実施形態２は、ザッピングの過程で視聴されたにも関わらず、閾値Ｙの視聴時間を満たしていたためにザッピングでないと判断された番組Ａを検出し、ザッピングの検出精度をより高めることを目的としたものである。
【００４７】
図６は、実施形態２のザッピングの処理を説明するためのフローチャートである。図示したように、実施形態１では、ユーザ固定端末が番組情報提供装置から番組情報取得の要求がなされた後（ステップＳ３０１）、図２に示したｆｌｏｗ１の処理を実行する（ステップＳ３０２）。そして、実施形態１と同様に、視聴者が意図的に視聴していたと判断された番組情報だけをユーザ移動端末１０３の図示しない表示部に表示させる（ステップＳ３０３）。
【００４８】
このとき、実施形態２では、番組情報の登録に関する履歴情報Ｒが、ユーザ移動端末から番組情報提供装置を介してザッピング判別部に通知されている。
ザッピング判別部は、ザッピングであると判断された視聴の直前、及び視聴の直後に視聴された番組（隣接コンテンツ）の少なくとも一方のうち、視聴時間Ｙ’と閾値Ｙとの相違が所定の時間以下である番組を検出する。そして、検出された番組Ａに含まれる番組情報の登録の履歴情報Ｒを確認する（ステップＳ３０４）。
【００４９】
さらに、ザッピング判別部は、履歴情報Ｒに番組Ａに含まれる番組情報の登録履歴がない場合（ステップＳ３０７：Ｎｏ）、番組Ａもザッピングの過程で視聴されたものと判断する（ステップＳ３０５）。そして、ザッピングの閾値Ｙを、番組Ａの視聴時間Ｙ’に修正する（ステップＳ３０６）。
一方、ステップＳ３０７において、履歴情報Ｒに番組Ａに含まれる番組情報の登録履歴がある場合（ステップＳ３０７：Ｙｅｓ）、ザッピング判別部１１１は、番組Ａがザッピングではないと判断する（ステップＳ３０８）。このとき、ザッピングの判断に使用される閾値Ｙはそのまま保存される（ステップＳ３０９）。
【００５０】
なお、以上述べた実施形態２は、このような構成に限定されるものではない。例えば、実施形態２は、ザッピングと判断された番組の直前及び直後に視聴された番組だけをザッピングの再判断の対象とするものではない。ザッピングと判断された番組の前に視聴された所定の数の番組、ザッピングと判断された番組の後に視聴された所定の数の番組を再判断の対象にするものであってもよい。
【００５１】
（実施形態３）
次に、本発明の実施形態３の番組情報提供システムについて説明する。なお、実施形態３の番組情報提供システムは、実施形態１と同様の構成を有していて、ザッピングの判断の具体的な方法についてのみ実施形態１と相違する。このため、実施形態３では、番組情報提供システムの図示及びその説明の一部略すものとする。
実施形態３は、チャプタ生成部が映像データを分割してチャプタを生成する場合、１つのチャプタの時間長をより適正に設定することを目的とする。
【００５２】
図７は、実施形態３のチャプタ生成の処理を説明するためのフローチャートである。図示したように、実施形態３では、ユーザ移動端末においてチャプタを含む番組情報が選択される（ステップＳ７０１）。番組情報提供装置のチャプタ生成部は、履歴情報Ｒを参照し、連続するチャプタ（シーン）に対応する複数の番組情報がユーザ移動端末あるいは番組情報提供装置において登録されているか否か判断する（ステップＳ７０２）。
【００５３】
判断の結果、チャプタが連続する番組情報が登録されていない場合（ステップＳ７０２：Ｎｏ）、図３に示したｆｌｏｗ３の処理を実行してチャプタを生成する（ステップＳ７０３）。生成されたチャプタは、ユーザ移動端末１０３で番組情報として表示される（ステップＳ７０８）。
一方、ステップＳ７０２において、連続するチャプタに対応する複数の番組情報が登録されていると判断された場合（ステップＳ７０２：Ｙｅｓ）、チャプタ生成部は、登録された番組情報の複数のチャプタの時間長の平均値を算出する（ステップＳ７０４）。そして、図３に示したｆｌｏｗ２の処理を実行する（ステップＳ７０５）。
【００５４】
さらに、チャプタ生成部は、次回タイムスタンプで映像データを区切ってチャプタを生成する場合には、１つのチャプタの放映時間を先に算出された放映時間の平均値を基準値にして決定する（ステップＳ７０６）。具体的には、１つのチャプタの放映時間が、平均値に最も近くなるようにタイムスタンプを選んで放映データを分割する。
また、チャプタ生成部は、次回セグメント情報に基づいてチャプタを生成する場合にも、１つのチャプタの放映時間を先に算出された放映時間の平均値を基準値にして決定する（ステップＳ７０７）。具体的には、１つのチャプタの放映時間が、平均値に最も近くなるようにシーンの区切りを選んで放映データを分割する。
【００５５】
例えば、平均値ｗが４０秒であった場合に、セグメント情報が示すシーン１の放映時間帯が０：００：００〜０：００：３０、シーン２が０：００：３０〜０：００：４５、シーン３が０：００：４５〜０：０１：００であれば、シーン１とシーン２を結合した０：００：００〜０：００：４５の時間帯に放映された放映データを１つのチャプタとする。
以上のようにして生成されたチャプタは、放映時間帯や番組メタデータと共に番組情報としてユーザ移動端末に表示される（ステップＳ７０８）。
【符号の説明】
【００５６】
１００  コンテンツ特定部
１０１,６０１  ユーザ固定端末
１０２,３０２,６０２  番組情報提供装置
１０３,３０３  ユーザ移動端末
１１１  ザッピング判別部
１１３  チャンネル視聴時間取得部
１１４  視聴チャンネル取得部
１１５  視聴チャンネル情報受信部
１１６  時刻情報取得部
１１７  番組情報抽出部
１１８  番組情報取得要求受信部
１１９  番組情報送信部
１２０  放送番組種別判定部
１２１  放送番組蓄積部
１２３  映像シーン解析部
１２４  セグメント情報取得部
１２５  チャプタ生成部
１２６  番組情報生成部
１２７  番組情報蓄積部
１２８  番組メタデータ蓄積部
１２９  番組メタデータ取得部
１３０  放送番組受信部
１３１  番組情報取得要求送信部
１３２  番組情報受信部
１３３  個人用番組情報蓄積部
３１０  個人用番組情報表示部
【図１】
2010171514.tif 000003
【図２】
2010171514.tif 000004
【図３】
2010171514.tif 000005
【図４】
2010171514.tif 000006
【図５】
2010171514.tif 000007
【図６】
2010171514.tif 000008
【図７】
2010171514.tif 000009